(57)【要約】  生体情報検出装置は、センサ、記憶部および制御部を含む。センサは、被検者に装着され、その被検者の生体情報を継続的に検出する。記憶部はセンサにより検出された生体情報を記憶する。制御部は、記憶部に記憶されている生体情報のうち、あらかじめ設定された一部の情報を定期的に管理装置に送信するよう制御する。制御部は、センサにより検出された生体情報が所定の基準値を超えたとき、定期的に送信される情報量より多い情報量を管理装置に送信するよう制御する。
2008136050.tif 000002
【特許請求の範囲】
【請求項１】
被検者に装着され、その被検者の生体情報を継続的に検出するセンサと、
前記センサにより検出された生体情報を記憶する記憶部と、
前記記憶部に記憶されている生体情報のうち、あらかじめ設定された一部の情報を定期的に管理装置に送信するよう制御する制御部と、を備え、
前記制御部は、前記センサにより検出された生体情報が所定の基準値を超えたとき、前記定期的に送信される情報量より多い情報量を前記管理装置に送信するよう制御することを特徴とする生体情報検出装置。
【請求項２】
前記記憶部は、所定の記憶領域を持ち、その記憶領域が溢れると先に格納されたデータから順次上書きされるループバッファであり、
前記制御部は、前記センサにより検出された生体情報が所定の基準値を超えたとき、前記記憶部に記憶されているすべての生体情報を前記管理装置に送信するよう制御することを特徴とする請求項１に記載の生体情報検出装置。
【請求項３】
被検者に装着され、その被検者の生体情報を継続的に検出するセンサと、
前記センサにより検出された生体情報を記憶する記憶部と、
前記記憶部に記憶されている生体情報のうち、あらかじめ設定された一部の情報を定期的に管理装置に送信するよう制御する制御部と、を備え、
前記制御部は、前記センサにより検出された生体情報が所定の基準値を超えたとき、前記管理装置への送信間隔を短くするよう制御することを特徴とする生体情報検出装置。
【請求項４】
前記制御部は、前記管理装置から所定の情報を送信するよう指示を受けると、前記記憶部に記憶されている生体情報の中から、前記所定の情報を特定し、前記管理装置に送信するよう制御することを特徴とする請求項１から３のいずれかに記載の生体情報検出装置。
【請求項５】
被検者に装着され、その被検者の生体情報を検出するセンサと、
前記センサにより検出された生体情報を、中継装置に無線で送信することにより、前記中継装置を介して外部の管理装置に送信するよう制御する制御部と、を備え、
前記制御部は、前記中継装置と通信チャンネルを確立できないとき、前記中継装置を介さず所定の無線通信網を介して前記生体情報を前記管理装置に送信するよう制御することを特徴とする生体情報検出装置。
【請求項６】
複数のＧＰＳ衛星から電波情報を受信するＧＰＳ受信部をさらに備え、
前記制御部は、前記中継装置と通信チャンネルを確立できないとき、前記ＧＰＳ受信部により受信された電波情報をもとに、前記センサを装着した被検者の位置情報を生成し、前記生体情報とともに前記管理装置に送信するよう制御することを特徴とする請求項５に記載の生体情報検出装置。
【請求項７】
当該生体情報検出装置は、電池駆動であることを特徴とする請求項１から６のいずれかに記載の生体情報検出装置。  
【発明の詳細な説明】
【技術分野】
【０００１】
本発明は、人体の生体情報をセンサで検出し、外部に送信する生体情報検出装置に関する。
【背景技術】
【０００２】
高齢者や疾病者の介護および看護を支援するための装置やシステムが種々提案されている。とくに、日本では少子高齢化が急速に進み、介護や高齢者医療の効率化が強く求められている。そのような装置の一つとして、被介護者や被看護者の人体に装着させたセンサから生体情報を取得し、その生体情報を有線または無線回線を介して管理装置に送信する装置が提案されている（たとえば特許文献１、特許文献２）。
【特許文献１】特開２００６−２９７０６８号公報
【特許文献２】特開２００６−２６３３０５号公報
【発明の開示】
【発明が解決しようとする課題】
【０００３】
上述したようなセンサを搭載した装置は、人体に装着または接着させる必要があるため、被装着者の自由を制限しないよう電源供給線や通信線が接続されない構成が望ましい。すなわち、電池駆動で無線通信機能を搭載することが望ましい。しかしながら、電池駆動で負荷の大きい処理を行うと、頻繁に電池を交換する必要が生じ、煩雑かつ非経済的である。一方、処理を簡略化しすぎると、必要な情報が管理装置に送信されず、必要な処置が早期に受けられない事態が生じ得る。【０００４】
本発明はこうした状況に鑑みなされたものであり、その目的は、消費電力を抑制しつつ、質の高い情報を外部の装置に供給する生体情報検出装置を提供することにある。
【課題を解決するための手段】
【０００５】
本発明のある態様の生体情報検出装置は、被検者に装着され、その被検者の生体情報を継続的に検出するセンサと、センサにより検出された生体情報を記憶する記憶部と、記憶部に記憶されている生体情報のうち、あらかじめ設定された一部の情報を定期的に管理装置に送信するよう制御する制御部と、を備え、制御部は、センサにより検出された生体情報が所定の基準値を超えたとき、定期的に送信される情報量より多い情報量を管理装置に送信するよう制御する。【０００６】
なお、以上の構成要素の任意の組合せ、本発明の表現を方法、システム、記録媒体、コンピュータプログラムなどの間で変換したものもまた、本発明の態様として有効である。
【発明の効果】
【０００７】
本発明によれば、消費電力を抑制しつつ、質の高い情報を外部の装置に供給する。
【図面の簡単な説明】
【０００８】
【図１】本発明の実施の形態１に係る生体情報管理システムの構成を示す図である。
【図２】実施の形態１に係る生体情報検出装置の構成を示す図である。
【図３】実施の形態１に係る管理装置の構成を示す図である。
【図４】実施の形態１に係る生体情報検出装置の動作例を説明するタイミングチャートである。
【図５】実施の形態１に係る生体情報検出装置の動作を説明するフローチャートである。
【図６】本発明の実施の形態２に係る生体情報管理システムの構成を示す図である。
【図７】実施の形態２に係る生体情報検出装置の構成を示す図である。
【図８】実施の形態２に係る生体情報検出装置の動作を説明するフローチャートである。
【符号の説明】
【０００９】
１０  制御部、  ２０  センサユニット、  ２２  体温センサ、  ２４  心拍センサ、  ２５  脈拍センサ、  ２６  加速度センサ、  ３０  記憶部、  ３２  ＧＰＳ受信部、  ３５  時計、  ４０  通信部、  １００、１５０  生体情報検出装置、  ２００  管理装置、  ３００  中継装置、  ５００、５５０  生体情報管理システム。
【発明を実施するための最良の形態】
【００１０】
（実施の形態１）
図１は、本発明の実施の形態１に係る生体情報管理システム５００の構成を示す図である。生体情報管理システム５００は、生体情報検出装置１００および管理装置２００を備える。生体情報検出装置１００は、人体に装着されて使用される。以下、生体情報検出装置１００の使用態様の一例として、医療施設や介護施設に設置されたベッドに横たわる患者または被介護者（以下、被検者という）が装着する例を用いて、実施の形態１を説明する。したがって、管理装置２００は、医療従事者や介護者が常駐する部屋に設置されることが望ましい。また、管理装置２００を携帯端末で構成し、医療従事者がそれを所持することも望ましい。【００１１】
図２は、実施の形態１に係る生体情報検出装置１００の構成を示す図である。生体情報検出装置１００は、プロセッサおよびメモリを備えるボードを搭載する。生体情報検出装置１００は、制御部１０、センサユニット２０、記憶部３０、時計３５および通信部４０を備える。生体情報検出装置１００は、配線をなくすため電池駆動が望ましい。センサユニット２０は、体温センサ２２、心拍センサ２４および加速度センサ２６を含む一体型のセンサユニットであり、その被検者の生体情報を継続的に検出する。ここで、継続的とは短い周期で検出する態様も含む。たとえば、一分ごとに温度を検出する態様も含む。本明細書では、生体情報には、体温、一分間の拍動数である心拍数および脈拍数などの生理的な情報に限らず、姿勢など物理的な情報を含む。【００１２】
体温センサ２２は、被検者の体温または表温を検出し、制御部１０に出力する。心拍センサ２４は電極シートを備え、その電極シートは被検者の胸部に貼り付けられる。心拍センサ２４は、被検者の心拍を検出し、制御部１０に出力する。加速度センサ２６は、互いに直交するＸ軸、Ｙ軸の２軸方向の加速度、またはＺ軸も備えた３軸方向の加速度を検出し、制御部１０に出力する。【００１３】
記憶部３０は、センサユニット２０により検出された各種の生体情報を記憶する。記憶部３０は、所定の記憶領域を持ち、その記憶領域が溢れると先に格納されたデータから順次上書きするループバッファで構成されてもよい。ここで、記憶部３０が一時間分のデータを記憶できる領域を備える場合を想定する。制御部１０は、一分ごとに体温や心拍数を記憶領域に順次書き込み、その記憶領域が全部埋まると、一時間前のデータが書き込まれている領域に上書きする。この処理によれば、記憶部３０は最新の一時間分の生体情報を常に持つことになる。【００１４】
時計３５は、時刻を制御部１０に供給する。通信部４０は、制御部１０から指定された情報を所定の無線回線を利用して管理装置２００に送信する。また、管理装置２００からの所定の指示を受信する。所定の無線回線としては、たとえば、携帯電話事業者などが提供するパケット通信網を利用することができる。また、医療施設や介護施設にＬＡＮ（Local Area Network）が設置され、そのＬＡＮに管理装置２００が接続されている場合、通信部４０は、そのＬＡＮのアクセスポイントと短距離の無線通信を行うことにより、管理装置２００と通信してもよい。【００１５】
制御部１０は、記憶部３０に記憶されている生体情報のうち、あらかじめ設定された一部の情報を定期的に管理装置２００に送信するよう制御する。たとえば、制御部１０は、心拍センサ２４を用いて心拍数を継続的に測定し、一分ごとに心拍数を記憶部３０に記憶する。制御部１０は、記憶部３０に記憶されている複数の心拍数情報のうち、一時間ごとに最新の心拍数情報のみを管理装置２００に送信するよう制御する。体温センサ２２についても同様に処理することができる。これにより、電池の消費を抑制することができる。このような定期的に送信すべき情報および送信間隔は、デフォルトで設定されてもよいし、管理装置２００から医療従事者や介護者により設定されてもよい。【００１６】
制御部１０は、センサユニット２０により検出された生体情報が所定の基準値を超えたとき、定期的に送信される情報量より多い情報量を管理装置２００に送信するよう制御する。たとえば、その時点で記憶部３０に記憶されている、すべての生体情報を管理装置２００に送信するよう制御する。また、制御部１０は、あらかじめ設定された一部の情報に加えて、他の種類の情報を送信するよう制御してもよい。たとえば、一部の情報として体温のみを定期的に送信し、検出された生体情報が所定の基準値を超えたとき、心拍数を加えて送信してもよい。所定の基準値の例は後述するが、所定の基準値を超えたときとは、被検者に何らかの異常が発生している可能性が高いときである。したがって、医療従事者や介護者にできるだけ多くの判断材料が提供されることが望ましい。【００１７】
また、制御部１０は、センサユニット２０により検出された生体情報が所定の基準値を超えたとき、管理装置２００への送信間隔を短くするよう制御する。または、連続送信するよう制御する。たとえば、一時間に設定されていた送信間隔を一分などに変更する。また、検出結果を取得しだい送信してもよい。この場合、連続送信状態となることもある。このような処理も、基準値を超えた異常値を検出した後の生体情報をできるだけ多く、医療従事者や介護者に提供するための処理である。【００１８】
所定の基準値の例としては、心拍数の異常を検出するための上限閾値および下限閾値、ならびに体温の異常を検出するための上限閾値および下限閾値が設定される。たとえば、心拍数の上限閾値を１００、下限閾値を６０に設定する。医療従事者や介護者は、被検者の病状、年齢および体質などを考慮して、被検者ごとに好適な基準値を設定することができる。【００１９】
また、所定の基準値として、加速度成分を設定することが可能である。たとえば、寝たきり患者などに装着された加速度センサ２６から大きな加速度成分が検出された場合、ベッドから落ちたなど、何らかの異変が生じた可能性がある。この異変をナースセンターなど外部で認識するため、寝たきり患者の通常の動きで検出され得る最大の加速度成分を、上記所定の基準値に設定する。【００２０】
また、制御部１０は、管理装置２００から所定の情報を送信するよう指示を受けると、記憶部３０に記憶されている生体情報の中から、指示された情報を特定し、管理装置２００に送信するよう制御する。この処理により、双方向通信機能を有効に活用して、医療従事者や介護者が欲する情報を任意のタイミングで管理装置２００側で得ることができる。【００２１】
図３は、実施の形態１に係る管理装置２００の構成を示す図である。管理装置２００は、ＰＣやサーバ、携帯端末などで構成される。管理装置２００は、制御部５０、表示部６０、記憶部７０、操作部８０および通信部９０を備える。制御部５０は、管理装置２００全体を統括的に制御する。表示部６０は、生体情報検出装置１００から取得した生体情報などを表示する。記憶部７０は、生体情報検出装置１００から取得した生体情報をデータベース化して保持する。操作部８０は、医療従事者や介護者の操作を受け、生体情報検出装置１００に対して、各種設定の追加、変更および削除を指示したり、特定情報の転送依頼を指示する。通信部９０は、生体情報検出装置１００の通信部４０と双方向通信する。【００２２】
図４は、実施の形態１に係る生体情報検出装置１００の動作例を説明するタイミングチャートである。制御部１０は、センサユニット２０により検出された生体情報を取得すると、記憶部３０に蓄積する。制御部１０は、一時間ごとに生体情報を定期送信するよう制御する。その際、記憶部３０に蓄積された一時間分の生体情報のうち、最新情報のみを送信するよう制御する。異常値が検出されない間、この処理が繰り返される。【００２３】
異常値が検出されると、制御部１０は、それをトリガに生体情報を管理装置２００にトリガ送信するよう制御する。図４では、三時と四時の間に異常値が検出された例を示す。トリガ送信する際、記憶部３０に蓄積された一時間分の生体情報のうち、すべてを送信するよう制御する。このとき、異常値に関連する生体情報のみ、すべて送信するよう制御してもよい。たとえば、心拍数に異常が検出された場合、心拍数のみを一時間分送信するよう制御してもよい。また、基準値を超えた程度が比較的小さい場合、定期送信の際の情報量よりは多いが、すべての情報を送信しない設定も可能である。たとえば、一時間分ではなく、３０分間の生体情報を送信してもよい。【００２４】
異常値が検出された後、制御部１０は、定期送信ではなく、連続送信するよう制御してもよい。また、基準値を超えた程度が比較的小さい場合、連続送信しないまでも、定期送信の頻度を上げるよう制御してもよい。【００２５】
図５は、実施の形態１に係る生体情報検出装置１００の動作を説明するフローチャートである。まず、制御部１０は、センサユニット２０から生体情報を継続的に取得し、記憶部３０に記憶する（Ｓ１０）。所定の基準値を超える異常値が検出された場合（Ｓ１２のＹ）、上述したトリガ送信処理が発動する（Ｓ１４）。異常値が検出されない間（Ｓ１２のＮ）、設定された時刻に到達すると（Ｓ１６のＹ）、上述した定期送信処理が発動する（Ｓ１８）。検出処理が継続している間（Ｓ２０のＮ）、ステップＳ１０に遷移し、同様の処理が繰り返される。なお、トリガ送信処理が発動された後、上述した連続送信処理が発動してもよい。【００２６】
以上説明したように実施の形態１によれば、異常値が発生しない間、生体情報を間欠的に定期送信することにより、全時間にわたる生体情報を送信する場合よりも処理量を軽減することができ、消費電力を抑制することができる。また、異常値が検出された場合、履歴情報を含めて多くの情報を管理装置に送信することにより、管理装置側で得られる情報の質も維持される。また、管理装置側の指示により、任意の時刻に生体情報検出装置１００側から特定の生体情報を取得することが可能なため、その点からも管理装置側で得られる情報の質が担保される。また、異常値が検出された後、送信の頻度を上げることにより、多くの情報の提供が期待される期間に、その要請に応えることができる。【００２７】
人体にセンサが装着される電池駆動の装置では、消費電力を低減するほど、電池交換の頻度を下げることができる。実施の形態１に係る装置によれば、消費電力を低減することができるため、装置の電池交換の頻度を下げることができる。また、生体情報を送信している時間を短くすることができるため、通信料金を低減することができる。また、電池駆動で、無線通信にすることにより、被検者の自由をほとんど制限することなく有効な情報を取得することができる。【００２８】
（実施の形態２）
図６は、本発明の実施の形態２に係る生体情報管理システム５５０の構成を示す図である。生体情報管理システム５５０は、生体情報検出装置１５０、管理装置２００および中継装置３００を備える。中継装置３００は、屋内に設置されるホームサーバで構成され、インターネットとのゲートウェイ装置として機能する。管理装置２００は、ＰＣやサーバ、または携帯電話機などの携帯端末で構成される。携帯端末で構成される場合、インターネットサーバを介して生体情報検出装置１５０と通信してもよいし、直接通信してもよい。管理装置２００は、実施の形態１と同様の機能を備える。【００２９】
生体情報検出装置１５０は、人体に装着されて使用される。以下、生体情報検出装置１５０の使用態様の一例として、一人で家にいる高齢者が装着する例を用いて、実施の形態２を説明する。携帯型の管理装置２００であれば、その高齢者の配偶者や子供が外出先や別居先でも、生体情報を取得することができる。【００３０】
図７は、実施の形態２に係る生体情報検出装置１５０の構成を示す図である。生体情報検出装置１５０は、プロセッサおよびメモリを備えるボードを搭載する。生体情報検出装置１５０は、制御部１０、センサユニット２０、記憶部３０、ＧＰＳ受信部３２、時計３５および通信部４０を備える。生体情報検出装置１５０は電池駆動される。センサユニット２０は、体温センサ２２、脈拍センサ２５および加速度センサ２６を含む一体型のセンサユニットであり、その被検者の生体情報を継続的に検出する。センサユニット２０は、腕時計のように被検者の腕に装着される。【００３１】
体温センサ２２は、被検者の体温または表温を検出し、制御部１０に出力する。脈拍センサ２５は、被検者の脈拍を検出し、制御部１０に出力する。加速度センサ２６は、２軸方向または３軸方向の加速度を検出し、制御部１０に出力する。【００３２】
記憶部３０は、センサユニット２０により検出された各種の生体情報を記憶する。ＧＰＳ受信部３２は、複数のＧＰＳ衛星から電波情報を受信して、制御部１０に出力する。時計３５は、時刻を制御部１０に供給する。【００３３】
通信部４０は、制御部１０から指定された情報を所定の無線回線を利用して中継装置３００または管理装置２００に送信する。また、中継装置３００または管理装置２００からの所定の指示を受信する。通信部４０は、赤外線や、３００ＭＨｚ帯または９００ＭＨｚ帯の電波などを利用して、中継装置３００と通信する。管理装置２００と直接通信する場合、パケット通信網などを利用して、管理装置２００と通信する。【００３４】
制御部１０は、中継装置３００と通信チャンネルを確立できている間、センサユニット２０により検出された生体情報を、屋内に設置された中継装置３００に無線で送信することにより、中継装置３００を介して外部の管理装置２００に送信するよう制御する。これに対し、中継装置３００と通信チャンネルを確立できないとき、中継装置３００を介さずパケット通信網などの無線通信網を介して生体情報を管理装置２００に送信するよう制御する。【００３５】
生体情報検出装置１５０と中継装置３００との距離が３０ｍ程度までは、上述した通信手段で通信可能であるため、被検者が屋内にいれば、通常、中継装置３００と通信チャンネルが確立される。これに対し、被検者が屋外に出れば、中継装置３００と通信チャンネルが確立できなくなる。逆にいえば、中継装置３００と通信チャンネルが確立できないとき、管理装置２００側では被検者が屋外にいる可能性が高いと推定することができる。【００３６】
制御部１０は、中継装置３００と通信チャンネルを確立できないとき、ＧＰＳ受信部３２により受信された電波情報をもとに、生体情報検出装置１５０を装着した被検者の位置情報を生成し、生体情報とともに管理装置２００に送信するよう制御する。より具体的には、制御部１０は、ＧＰＳ受信部３２が受信した複数の時刻情報を含む電波情報をもとに、生体情報検出装置１５０を装着した被検者の位置する緯度経度を算出する。【００３７】
記憶部３０に記憶された生体情報を管理装置２００に送信するタイミングは、とくに限定しないが、実施の形態１で示した手法を用いてもよい。【００３８】
図８は、実施の形態２に係る生体情報検出装置１５０の動作を説明するフローチャートである。まず、制御部１０は、センサユニット２０から生体情報を取得し、記憶部３０に記憶する（Ｓ３０）。中継装置３００と通信チャンネルが確立できた場合（Ｓ３２のＹ）、中継装置３００を介して管理装置２００に生体情報を送信するよう制御する（Ｓ３４）。中継装置３００と通信チャンネルが確立できない場合（Ｓ３２のＮ）、パケット通信網などを利用して管理装置２００に直接、生体情報を送信するよう制御する（Ｓ３６）。検出処理が継続している間（Ｓ３８のＮ）、ステップＳ３０に遷移し、同様の処理が繰り返される。【００３９】
以上説明したように実施の形態２によれば、屋内の中継装置と通信チャンネルが確立できない場合でも、無線通信網を利用することにより、生体情報を管理装置に送信することができる。すなわち、被検者の位置する場所に制限されずに生体情報を送信することができるため、被検者が屋外に出た場合も、その被検者に異変が起きているか否かをチェックし続けることができる。また、中継装置と通信チャンネルが確立できている場合、中継装置を利用することにより、通信料金を低減することができる。【００４０】
また、中継装置と通信チャンネルが確立できず、屋外にいると推定される場合、ＧＰＳ機能を有効にすることにより、被検者の位置を追跡することができる。また、屋外にいると推定される場合のみ有効にすることにより、屋内にいるときに位置情報を演算するという無駄な処理を回避することができる。また、実施の形態１の送信処理を組み合わせれば、さらに効率的な処理が可能になり、消費電力をさらに低減することができる。【００４１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。【００４２】
たとえば、実施の形態１にて、異常を判定するための基準値を設定したが、段階的な複数の基準値を設定し、異常の度合いを判定してもよい。その度合いに応じて、その後の処理を変えることができる。たとえば、体温の異常を判定するための基準値を３７℃、３８℃、３９℃といったように段階的に設け、３７℃を超えた場合、１時間であった定期送信の間隔を１５分に変更し、３８℃の場合、実施の形態１と同様の処理行い、３９℃の場合、管理装置２００に警告音を出力するよう指示する、といった制御も可能である。この場合、さらに消費電力と情報提供とのバランスを最適化することができる。【００４３】
実施の形態２では、加速度センサで得られる加速度成分を解析することにより、歩数を取得してもよい。さらに、歩数と単位歩行動作あたりの消費カロリーを掛けて、一日の消費カロリーを計算してもよい。このような情報を合わせて、管理装置２００に蓄積すれば、被検者の健康管理に活かすことができる。【００４４】
また、実施の形態で説明したセンサユニット２０に搭載されるセンサは上述したものに限るものではなく、湿度センサ、放射線センサまたは赤外線センサなど様々なセンサを搭載することが可能である。
【産業上の利用可能性】
【００４５】
本発明は、人体の生体情報をセンサで検出し、外部に送信する生体情報検出装置に関する分野に適用することができる。
【図１】
2008136050.tif 000003
【図２】
2008136050.tif 000004
【図３】
2008136050.tif 000005
【図４】
2008136050.tif 000006
【図５】
2008136050.tif 000007
【図６】
2008136050.tif 000008
【図７】
2008136050.tif 000009
【図８】
2008136050.tif 000010
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
被検者に装着され、その被検者の生体情報を継続的に検出するセンサと、
前記センサにより検出された生体情報を記憶する記憶部と、
前記記憶部に記憶されている生体情報のうち、あらかじめ設定された一部の情報を定期的に管理装置に送信するよう制御する制御部と、を備え、
前記制御部は、前記センサにより検出された生体情報と、段階的な複数の基準値とを比較して異常の度合いを判定し、その度合いに応じて異なる処理を実行することを特徴とする生体情報検出装置。
【請求項２】
前記制御部は、前記異常の度合いが高いほど、前記管理装置に送信する送信間隔を短くすることを特徴とする請求の範囲１に記載の生体情報検出装置。
【請求項３】
前記制御部は、前記異常の度合いが高いほど、前記管理装置に多くの生体情報を送信することを特徴とする請求の範囲１に記載の生体情報検出装置。
【請求項４】
前記制御部は、前記複数の基準値のうち、最も異常の度合いが高い基準値を超えたとき、前記管理装置から警告音を出力させるよう制御することを特徴とする請求の範囲１から３のいずれかに記載の生体情報検出装置。
【請求項５】
前記制御部は、前記センサにより検出された生体情報を、中継装置に無線で送信することにより、前記中継装置を介して外部の管理装置に送信するよう制御し、前記中継装置と通信チャンネルを確立できないとき、前記中継装置を介さず所定の無線通信網を介して前記生体情報を前記管理装置に送信するよう制御することを特徴とする請求の範囲１に記載の生体情報検出装置。
【請求項６】
複数のＧＰＳ衛星から電波情報を受信するＧＰＳ受信部をさらに備え、
前記制御部は、前記中継装置と通信チャンネルを確立できないとき、前記ＧＰＳ受信部により受信された電波情報をもとに、前記センサを装着した被検者の位置情報を生成し、前記生体情報とともに前記管理装置に送信するよう制御することを特徴とする請求の範囲５に記載の生体情報検出装置。
【請求項７】
当該生体情報検出装置は、電池駆動であることを特徴とする請求の範囲１から６のいずれかに記載の生体情報検出装置。
【国際調査報告】
2008136050.tif 000011
2008136050.tif 000012
2008136050.tif 000013
2008136050.tif 000014
2008136050.tif 000015
2008136050.tif 000016
2008136050.tif 000017